(57)【特許請求の範囲】
【請求項１】
回転電気機械を収容し、この回転電気機械の絶縁ワニス処理を行うための複数のワニスタンクと、これらのワニスタンクを両側に備えた天秤装置と、この天秤装置の傾きを変化させる稼動部と、この稼動部を制御する制御装置とを備え、上記天秤装置の傾きが変化することによってワニスが一方の上記ワニスタンクから他方の上記ワニスタンクに流れるように構成したことを特徴とする絶縁ワニス含浸処理装置。
【請求項２】
上記制御装置はタイマーを内蔵しており、絶縁処理時間をカウントし絶縁ワニス処理時間が経過すると、制御信号を出力して上記稼動部を動かすモータを駆動して上記天秤装置の傾きを変化させるようにしたことを特徴とする請求項１に記載の絶縁ワニス含浸処理装置。
【請求項３】
上記天秤装置の内部に、ワニスが一方の上記ワニスタンクから他方の上記ワニスタンクに流れるワニス誘導路を設けたことを特徴とする請求項１または請求項２に記載の絶縁ワニス含浸処理装置。
【請求項４】
上記ワニスタンクを両側に備えた天秤装置を並列に二つ以上備え、同時に複数の回転電気機械のワニス含浸処理を実施するようにしたことを特徴とする請求項１から請求項３のいずれか１項に記載の絶縁ワニス含浸処理装置。
【請求項５】
上記ワニスタンクを両側に備えた天秤装置を並列に二つ備え、各天秤装置の傾斜角が互いに逆となるようにしたことを特徴とする請求項４に記載の絶縁ワニス含浸処理装置。
【請求項６】
上記ワニスタンクを両側に備えた天秤装置を並列に二つ以上備え、各天秤装置の傾斜角が互いに同じとなるようにしたことを特徴とする請求項４に記載の絶縁ワニス含浸処理装置。
【請求項７】
回転電気機械を収容し、この回転電気機械の絶縁ワニス処理を行うための複数のワニスタンクを、天秤装置の両側に備え、この天秤装置の傾きを変化させることによって、ワニスが一方の上記ワニスタンクから他方の上記ワニスタンクに流れるようにしたことを特徴とする絶縁ワニス含浸処理方法。
【請求項８】
上記ワニスタンクを両側に備えた天秤装置を並列に二つ以上備え、同時に複数の回転電気機械のワニス含浸処理を実施するようにしたことを特徴とする請求項７に記載の絶縁ワニス含浸処理方法。
【請求項９】
回転電気機械をワニスタンク内のワニスに浸して上記回転電気機械にワニス処理を施す工程を含む回転電気機械の製造方法であって、
天秤の両端に設けられるワニスタンク内のワニスがワニス誘導路により両ワニスタンク間を移動できる天秤装置における下側の位置にあるワニスタンク内の回転電気機械をワニスに浸した後、上記天秤の傾斜角を変更し、下側の位置にあったワニスタンクを上側の位置に移動させ、上側に移動されたワニスタンク内のワニスを上記天秤の傾斜角の変更により下側に位置するようになったもう一方のワニスタンクに上記ワニス誘導路を介して移動させるようにしたことを特徴とする回転電気機械の製造方法。
【発明の詳細な説明】
【技術分野】
【０００１】
この発明は、発電機やモータなど回転電気機械用ワニス含浸処理装置及びワニス含浸処理方法並びに回転電気機械の製造方法に関するものである。
【背景技術】
【０００２】
産業機器や民生用の回転電気機械は海岸部などの塩分を含んだ大気中に晒されたり、多湿雰囲気中などの悪環境で使用されるものもあるためコイルの絶縁性を向上させる処理として、回転電気機械をワニス溶液に含浸してワニス皮膜を形成している。
従来の回転電気機械のワニス含浸装置においては、例えば特公平７ー１１８８８８号公報（特許文献１）のように固定子単体をワニスに浸漬して、その後、ワニスから取り出して固定子単体を乾燥している。
また、巻線体へのワニスの付着量を増し、かつ均一な付着ができるように、減圧タンク内において減圧下で巻線体にワニスを含浸させる方法も特開平７−３９１２０号公報（特許文献２）で知られている。
一方、生産性を上げるために、ステータのコイル部のみにワニスを付着させることにより、ケース外周面に付着した余分なワニスを除去しなくても済むようにして多数のモータを同時にワニス含浸するようにした技術も特開平９−１４６０９号公報（特許文献３）で知られている。
【先行技術文献】
【特許文献】
【０００３】
【特許文献１】特公平７ー１１８８８８号公報（第１図）
【特許文献２】特開平７−３９１２０号公報（段落０００８、０００９、図２）
【特許文献３】特開平９−１４６０９号公報（段落０００３、０００４、図１）
【発明の概要】
【発明が解決しようとする課題】
【０００４】
従来の絶縁ワニス処理は、絶縁ワニス含浸処理工程において絶縁ワニスを満たしたタンクに回転電気機械を1台ずつ浸していた。このため、タンクと発電機等の回転電機との大きさによってはタンクに浸した回転電機を1台ずつ取り出さなければ、次の絶縁ワニス含浸処理工程ができず、また回転電機と絶縁ワニス含浸処理で使用する治具も浸していたため治具の定期的なメンテが必要で、ワニスの液垂れによる作業エリアの環境が悪化する問題があった。
なお、特許文献３では、同時に多数のモータを浸漬するようにしているが、同じ大きさのモータを同時に浸漬するもので、生産性を上げているが、大きさの異なる対象物を浸漬処理するものではなかった。
【０００５】
この発明は、従来の上記の課題を解決するためになされたものであり、ワニス含浸処理工程において回転電気機械及び治具を取り出す際にワニスが付着しないため治具のメンテナンス及び作業性が向上するとともに、２つ以上の含浸処理を同時に行うことができるワニス含浸処理装置及び含浸処理方法並びに回転電気機械の製造方法を提供することを目的とする。
【課題を解決するための手段】
【０００６】
この発明に係る絶縁ワニス含浸処理装置は、発電機やモータなど回転電気機械を収容し、この回転電気機械の回転子や固定子の絶縁ワニス処理を行うための複数のワニスタンクを両側に備えた天秤装置と、この天秤装置の傾きを変化させる稼動部と、この稼動部を制御する制御装置とを備え、上記天秤装置の傾きが変化することによってワニスが一方の上記ワニスタンクから他方の上記ワニスタンクに流れるように構成したものである。
また、この発明に係る絶縁ワニス含浸処理方法は、発電機やモータなど回転電気機械を収容し、この回転電気機械の回転子や固定子の絶縁ワニス処理を行うための複数のワニスタンクを、天秤装置の両側に備え、この天秤装置の傾きを変化させることによって、ワニスが一方の上記ワニスタンクから他方の上記ワニスタンクに流れるようにして、絶縁ワニス含浸処理工程とワニス含浸処理後の回転電気機械取り出しを同時に実施するようにした絶縁ワニス含浸処理方法である。
そして、この発明に係る回転電気機械の製造方法は、回転電気機械をワニスタンク内のワニスに浸して上記回転電気機械にワニス処理を施す工程を含む回転電気機械の製造方法であって、天秤の両端に設けられるワニスタンク内のワニスがワニス誘導路により両ワニスタンク間を移動できる天秤装置における下側の位置にあるワニスタンク内の回転電気機械をワニスに浸した後、上記天秤の傾斜角を変更し、下側の位置にあったワニスタンクを上側の位置に移動させ、上側に移動されたワニスタンク内のワニスを上記天秤の傾斜角の変更により下側に位置するようになったもう一方のワニスタンクに上記ワニス誘導路を介して移動させるようにした回転電気機械の製造方法である。
【発明の効果】
【０００７】
この発明によれば、絶縁ワニス処理をする回転電気機械及び絶縁ワニスを満たすことができる複数のワニスタンクを天秤装置の両端に備え、この天秤装置の傾斜角を変更することによって、一方のワニスタンクから他方のワニスタンクにワニスが移動するため、絶縁ワニス含浸処理工程とワニス含浸処理後の回転電気機械取り出しを同時に実施できる絶縁ワニス含浸処理装置及び含浸処理方法並びに回転電気機械の製造方法を得ることができる。
【図面の簡単な説明】
【０００８】
【図１】この発明の実施の形態１に係る絶縁ワニス含浸処理装置を示す図。
【図２】この発明の実施の形態２に係る絶縁ワニス含浸処理装置を示す図。
【発明を実施するための形態】
【０００９】
実施の形態１．
以下、この発明の実施の形態１を図１に基づいて説明する。
産業機器や民生用の回転電気機械は海岸部などの塩分を含んだ大気中に晒されたり、多湿雰囲気中などの悪環境で使用されるものもあるため、回転電気機械の製造工程においては、コイルの絶縁性を向上させる処理として、回転電気機械をワニス溶液に浸して回転電気機械にワニス処理を施すワニス処理工程を含んでいる。
図１はこの発明の実施の形態１を示す図であり、ワニス処理工程で使用されるバッチ式絶縁ワニス含浸処理装置の構成を概略的に示している。図１において、絶縁ワニス処理される対象である２つの回転電気機械３、４がそれぞれ収容されるワニスタンク１、２が、天秤５の両側に備えられている。ワニスタンク１、２は回転電気機械３、４をワニス１０に含浸させ、回転電気機械３、４の回転子および固定子の少なくともいずれかにワニス含浸処理を施すものであるが、第１のワニスタンク１内は装置始動時にはワニスは空であり、第２のワニスタンク２は装置始動時にはワニス１０が充填される。両側に回転電気機械３、４を収容したワニスタンク１、２を備えた天秤５は、天秤支柱６と稼動部７を通じて連結されている。天秤５の傾斜角はモータ８を回転することにより、稼動部７を介して変化される。稼動部７は天秤支柱６内に設けられたベルトやギア等により天秤５と機械的に連結している。
【００１０】
モータ８が動作することにより第１のワニスタンク１と第２のワニスタンク２の相対高さ位置が変化する。モータ８の回転は、制御装置９により制御される。この制御装置９の内部にはタイマーを備え、モータ８の始動、停止を制御する。制御装置９がモータ８の始動と停止を制御することにより天秤５の傾斜が変更され、第１のワニスタンク１と第２のワニスタンク２の相対高さが変化し、第２のワニスタンク２内のワニス１０が第１のワニスタンク１へと移動することができる。天秤５には樋あるいはパイプ等のワニス誘導路を備え、ワニス１０を両ワニスタンク間で移動することができるよう構成されている。なお、ワニス誘導路は天秤５と別体で設けることもできる。
【００１１】
次に、回転電気機械をワニスタンク内のワニス溶液に浸して回転電気機械にワニス処理を施すワニス処理工程を、図１（ａ）、（ｂ）に基づいて説明する。
図１（ａ）に示すように、第２のワニスタンク２にワニス１０と第２の回転電気機械４を入れ、絶縁ワニス処理を開始する。同時に第１のワニスタンク１に第１の回転電気機械３を入れる。
制御装置９は絶縁処理時間をタイマーによりカウントし、絶縁ワニス処理終了時間が経過すると、制御装置９からの制御信号によりモータ８が駆動され、天秤５の傾斜が変化し、第１のワニスタンク１が下方へ移動し、第２のワニスタンク２が上方へ移動する。第１のワニスタンク１と第２のワニスタンク２の相対位置が変化することにより、ワニス１０が第２のワニスタンク２から第１のワニスタンク１へと重力により天秤５の内部を通って移動する。
図１（ｂ）に示すように第１のワニスタンク１にワニス１０が満たされることにより、第１の回転電気機械３の絶縁ワニス処理が開始される。同時に第２のワニスタンク２はタンク内のワニスが全て第１のワニスタンク１に移動するので、第２の回転電気機械４を容易に取り出すことができ、第２の回転電気機械４のワニス処理が終了する。
【００１２】
第２の回転電気機械４を取り出し後、新たに絶縁ワニス処理が必要な回転電気機械を空になった第２のワニスタンク２に入れることにより、回転電気機械の交換作業が容易になる。このように、ワニスが空の状態での回転電気機械の取り出し作業となるので、回転電気機械の取り出しに必要な作業工具にワニスが付着せず、作業性向上と作業工具の保守性を向上させた装置を得ることができる。
【００１３】
実施の形態２．
図２に示す実施の形態２では、天秤支柱６に天秤５、５ａを軸方向にずらして並列に二つ取り付け、ワニスタンクを複数バランス良く備えている。実施の形態１と同様に制御装置９によりモータ８を制御し、複数の天秤５、５ａの傾斜を変化させることにより、同時にワニス処理できる回転電気機械の数量を増やすことができ、作業効率を向上させることができる。
【００１４】
この実施の形態２では、実施の形態１で示した第１のワニスタンク１、第２のワニスタンク２、第１の回転電気機械３、第２の回転電気機械４、天秤５の他に第３のワニスタンク１１、第４のワニスタンク１２、第３の回転電気機械１３、第４の回転電気機械１４、天秤５ａを備えている。ワニス含浸処理開始時には、第２のワニスタンク２にワニス１０が、第３のワニスタンク１１にワニス１０ａが充填されている。
【００１５】
実施の形態３．
なお、図２に示す実施の形態２では、２つの天秤５、５ａの傾斜角を逆になるようにして、第２のワニスタンク２と第３のワニスタンク１１の２つが下方位置で、第１のワニスタンク１と第４のワニスタンク１２の２つが上方位置となるよう天秤支柱６の左右で重量バランスを取るよう配慮しているが、ワニス含浸処理対象が小型軽量のものであれば、複数の天秤の傾斜角を同じにして、天秤支柱６の右側の複数のワニスタンクが下方位置で、天秤支柱６の左側の複数のワニスタンクが上方位置となるようにして多数の回転電気機械のワニス含浸処理を同時に実施することもできる。
以上のように、回転電気機械の製造方法におけるワニス処理を施す工程において、実施の形態１〜３で示した手法を用いることで、一方のワニスタンクから他方のワニスタンクにワニスが移動できるため、一方のワニスタンクに入っているワニス含浸処理後の取り出しと、他方のワニスタンクに入っている回転電気機械のワニス含浸処理とを同時に実施することができる。
【符号の説明】
【００１６】
１  第１のワニスタンク、  ２  第２のワニスタンク、  ３  第１の回転電気機械、４  第２の回転電気機械、  ５  天秤、  ５ａ  天秤、  ６  天秤支柱、７  稼動部、８  モータ、  ９  制御装置、  １０  ワニス、  １０ａ  ワニス、  １１  第３のワニスタンク、  １２  第４のワニスタンク、  １３  第３の回転電気機械、  １４  第４の回転電気機械。
【図１】
0005674547.tif 000002
【図２】
0005674547.tif 000003